(57)【要約】【課題】レイアウト変更に柔軟に対応可能とされた間仕切りシステム及び間仕切りの施工方法を提供する。【解決手段】間仕切りシステム１００は、板状に形成され、表面に第一コンセント１０１が設けられた第一パネル３と、板状に形成され、小口面４Ｅが第一コンセント１０１と対向するように、第一パネル３に直交して配置された第二パネル４と、を備えた間仕切りシステムであって、第二パネル４の小口面４Ｅに設けられ、第一コンセント１０１と接続されるコネクタ１１３と、コネクタ１１３に接続された配線１１２と、を有し、配線１１２は、少なくとも第二パネル４の表面に形成された配線穴４Ｈまで通線可能に構成されていることを特徴とする。【選択図】図３
2018035513.tif 000002
【特許請求の範囲】
【請求項１】
板状に形成され、表面に第一コンセントが設けられた第一パネルと、
板状に形成され、小口面が前記第一コンセントと対向するように、該第一パネルに直交して配置された第二パネルと、を備えた間仕切りシステムであって、
前記第二パネルの前記小口面に設けられ、前記第一コンセントと接続されるコネクタと、
該コネクタに接続された配線と、を有し、
前記配線は、少なくとも前記第二パネルの表面に形成された配線穴まで通線可能に構成されていることを特徴とする間仕切りシステム。
【請求項２】
前記第二パネルの表面には、第二コンセントが設けられ、
前記コネクタに接続された配線は、前記第二コンセントに接続されていることを特徴とする請求項１に記載の間仕切りシステム。
【請求項３】
前記第二パネルは、
四方枠状に形成された枠体と、
該枠体の両面にそれぞれ設けられた表面材と、
前記枠体の端面から内部に向かって凹む凹部と、を有し、
前記コネクタは、前記凹部内に配置されていることを特徴とする請求項１または２に記載の間仕切りシステム。
【請求項４】
天井面に固定された上レールと、
床面に固定された下レールと、を備え、
前記第二パネルは、上端部が前記上レールに係止されるとともに、下端部が前記下レールに支持されていることを特徴とする請求項１から３のいずれか一項に記載の間仕切りシステム。
【請求項５】
板状に形成され、表面に第一コンセントが設けられた第一パネルに対して、板状に形成され、小口面が前記第一コンセントと対向するように、該第一パネルに直交して第二パネルを設置する間仕切りの施工方法であって、
前記第一コンセントのコンセントカバーを外すコンセントカバー取外工程と、
前記第二パネルに第二コンセントを取り付けるための取付穴を形成する取付穴形成工程と、
前記取付穴に前記第二コンセントを設置する第二コンセント設置工程と、
前記第二コンセントと接続された配線の先端に設けられたコネクタを、前記第一コンセントに接続するコネクタ接続工程と、
前記第二パネルを前記第一パネルに直交配置する第二パネル設置工程と、を備えることを特徴とする間仕切りの施工方法。
【発明の詳細な説明】
【技術分野】
【０００１】
本発明は、間仕切りシステム及び間仕切りの施工方法に関するものである。
【背景技術】
【０００２】
従来から、マンション等の集合住宅や戸建住宅等において、間仕切り壁にコンセントが取り付けられる場合には、下記の特許文献１に記載のように、間仕切り壁にコンセントボックスが埋め込まれて、間仕切り壁内に配線が配置され、コンセントカバーがコンセントボックスを覆い間仕切り壁の表面に露出している。
【先行技術文献】
【特許文献】
【０００３】
【特許文献１】特開平７−２７９４４７号公報
【発明の概要】
【発明が解決しようとする課題】
【０００４】
ところで、レイアウト変更等により、新たな間仕切り壁を設置する場合がある。例えば、既存の間仕切り壁に直交して新たな間仕切り壁を設置する場合には、既存の間仕切り壁にコンセントが設けられている箇所では、新たな間仕切り壁を直交させると、既存のコンセントを使用することができず、レイアウトに柔軟に対応できないという問題点がある。
【０００５】
そこで、本発明は、上記事情に鑑みてなされたものであり、レイアウト変更に柔軟に対応可能とされた間仕切りシステム及び間仕切りの施工方法を提供する。
【課題を解決するための手段】
【０００６】
上記目的を達成するために、本発明は以下の手段を採用している。
すなわち、本発明に係る間仕切りシステムは、板状に形成され、表面に第一コンセントが設けられた第一パネルと、板状に形成され、小口面が前記第一コンセントと対向するように、該第一パネルに直交して配置された第二パネルと、を備えた間仕切りシステムであって、前記第二パネルの前記小口面に設けられ、前記第一コンセントと接続されるコネクタと、該コネクタに接続された配線と、を有し、前記配線は、少なくとも前記第二パネルの表面に形成された配線穴まで通線可能に構成されていることを特徴とする。
【０００７】
このように構成された間仕切りシステムでは、第一パネルに設置された第一コンセントは、第一パネルと直交する第二パネルの小口面に対向する。第二パネルの小口面に設けられたコネクタは第一コンセントと接続され、コネクタに接続された配線は少なくとも第二パネルの表面に形成された配線穴まで通線可能に構成されている。よって、第一パネルの第一コンセントを第二パネルの小口面で対向させるようにレイアウト変更した場合でも、第一コンセントと電気的に接続されるとともに第二パネルの配線穴から通線可能とされた配線を利用することができるため、レイアウト変更に柔軟に対応可能である。
【０００８】
また、本発明に係る間仕切りシステムは、前記第二パネルの表面には、第二コンセントが設けられ、前記コネクタに接続された配線は、前記第二コンセントに接続されていることが好ましい。
【０００９】
このように構成された間仕切りシステムでは、第二パネルの表面には第二コンセントが設けられ、コネクタに接続された配線は第二コンセントに接続されている。よって、第一コンセントと電気的に接続された第二コンセントを利用することができるため、レイアウト変更に柔軟に対応可能である。
【００１０】
また、本発明に係る間仕切りシステムは、前記第二パネルは、四方枠状に形成された枠体と、該枠体の両面にそれぞれ設けられた表面材と、前記枠体の端面から内部に向かって凹む凹部と、を有し、前記コネクタは、前記凹部内に配置されていてもよい。
【００１１】
このように構成された間仕切りシステムでは、コネクタは枠体の端面から内部に向かって凹む凹部内に配置されているため、第一パネルに対して第二パネルを直交させる際に支障となることがない。
【００１２】
また、本発明に係る間仕切りシステムは、天井面に固定された上レールと、床面に固定された下レールと、を備え、前記第二パネルは、上端部が前記上レールに係止されるとともに、下端部が前記下レールに支持されていてもよい。
【００１３】
このように構成された間仕切りシステムでは、施工現場で、天井面に上レールを固定し、床面に下レールを固定する。予め工場等で第二パネルを製造しておけば、第二パネルを運搬してきて、第二パネルの上端部を上レールに係止させ、下端部を下レールに支持させることで、第二パネルが天井面と床面との間に設置される。よって、施工現場において、軽量鉄骨等で間仕切りの鋼製下地を組み立てる工事が省略され、施工時間が短縮できる。
【００１４】
また、本発明に係る間仕切りの施工方法は、板状に形成され、表面に第一コンセントが設けられた第一パネルに対して、板状に形成され、小口面が前記第一コンセントと対向するように、該第一パネルに直交して第二パネルを設置する間仕切りの施工方法であって、前記第一コンセントのコンセントカバーを外すコンセントカバー取外工程と、前記第二パネルに第二コンセントを取り付けるための取付穴を形成する取付穴形成工程と、前記取付穴に前記第二コンセントを設置する第二コンセント設置工程と、前記第二コンセントと接続された配線の先端に設けられたコネクタを、前記第一コンセントに接続するコネクタ接続工程と、前記第二パネルを前記第一パネルに直交配置する第二パネル設置工程と、を備えることを特徴とする。
【００１５】
このように構成された間仕切りの施工方法では、第二パネルに形成された取付穴に第二コンセントを設置する。第二コンセントに接続された配線の先端に設けられたコネクタを、第一パネルの第一コンセントに接続する。第一パネルにおけるコンセントカバーが取り外された第一コンセントに、第二パネルの小口面を対向するように、第二パネルを第一パネルに直交させる。これにより、第二パネルの第二コンセントが第一パネルの第一コンセントと電気的に接続されるため、レイアウト変更に柔軟に対応可能である。
【発明の効果】
【００１６】
本発明に係る間仕切りシステム及び間仕切りの施工方法によれば、レイアウト変更に柔軟に対応可能である。
【図面の簡単な説明】
【００１７】
【図１】本発明の一実施形態に係る間仕切りシステムを示す正面図である。
【図２】図１のＡ−Ａ断面図である。
【図３】図１のＢ−Ｂ断面図である。
【図４】本発明の一実施形態に係る間仕切りの施工方法の取付穴形成工程を示す図である。
【図５】本発明の一実施形態に係る間仕切りの施工方法の第二コンセント設置工程を示す図である。
【図６】本発明の一実施形態に係る間仕切りの施工方法において、図５に示す工程の後工程を示す図である。
【図７】本発明の一実施形態に係る間仕切りの施工方法のコネクタ接続工程を示す図である。
【図８】本発明の一実施形態に係る間仕切りの施工方法の第二パネル設置工程を示す図である。
【発明を実施するための形態】
【００１８】
本発明の一実施形態に係る壁システムについて、図１から図３を用いて説明する。
図１は、本発明の一実施形態に係る間仕切りシステムを示す正面図である。図２は、図１のＡ−Ａ断面図である。図３は、図１のＢ−Ｂ断面図である。
図１から図３に示すように、壁システム（間仕切りシステム）１００は、例えば、マンションやアパート等の集合住宅に設置され、隣接する居室等の空間Ｐ１，Ｐ２を仕切るものである。なお、壁システム１００は、戸建等の一般の住宅等にも設置可能である。
【００１９】
本実施形態では、図１に示すように、壁システム１００は、上レール１と、下レール２と、直交配置された第一パネル３及び第二パネル４と、を備えている。
【００２０】
図２に示すように、上レール１は、天井面Ｄに固定され、第一パネル３及び第二パネル４の上側に連続して配置されている。
【００２１】
上レール１は、天井面Ｄに沿って配置され断面視矩形状に形成された上部取付部１１と、上部取付部１１の下面１１Ｂに設けられ断面視矩形状に形成された上部レール部１２と、を有している。
【００２２】
上部取付部１１及び上部レール部１２は、例えば木材や鋼材等で構成されている。上部取付部１１はビス等の固定具１Ｘで天井面Ｄに固定され、上部レール部１２は接着や不図示の固定具により上部取付部１１に固定されている。本実施形態では、上部取付部１１の断面寸法は、例えば幅５０ｍｍ、高さ６０ｍｍとされている。なお、上部取付部１１の下面１１Ｂに凹部（不図示。以下同じ。）が設けられ、断面視矩形状の上部レール部が当該凹部に嵌め込まれて、上部レール部が上部取付部１１の下面１１Ｂから下方に突出するように設けられていてもよい。
【００２３】
下レール２は、床面Ｆに固定され、第一パネル３及び第二パネル４の下側に連続して配置されている。下レール２は、床面Ｆに沿って配置され断面視矩形状に形成された下部支持部２１と、下部支持部２１の上面２１Ｕに設けられ断面視矩形状に形成された下部レール部２２と、を有している。
【００２４】
下部支持部２１及び下部レール部２２は、例えば木材や鋼材等で構成され、下部レール部２２の上からビス等の固定具２２Ｘで下部支持部２１を貫通して床面Ｆに固定されている。本実施形態では、下部支持部２１の断面寸法は、例えば幅５０ｍｍ、高さ３５ｍｍとされている。なお、下部支持部２１の上面２１Ｕに凹部（不図示。以下同じ。）が設けられ、断面視矩形状の下部レール部が当該凹部に嵌め込まれて、下部レール部が下部支持部２１の上面２１Ｕから上方に突出するように設けられていてもよい。
【００２５】
図１及び図２に示すように、第一パネル３及び第二パネル４は、それぞれ板状に形成されている。第一パネル３及び第二パネル４は、それぞれ矩形状に形成された四方枠３０と、四方枠３０の内部に設けられた芯材部４１と、四方枠３０の両面に設けられた表面材４２と、を有している。本実施形態では、第一パネル３及び第二パネル４の寸法は、例えば幅８５０ｍｍ、高さ２４１５ｍｍ、厚さ６０ｍｍとされている。
【００２６】
四方枠３０は、上桟３１と、下桟３４と、上桟３１の端部と下桟３４の端部とを鉛直方向に連結する縦桟３７と、を有している。
【００２７】
上桟３１は、断面視矩形状に形成され、上面３１Ｕには下方に凹む上部凹溝３２が形成されている。上部凹溝３２は、上桟３１の延在方向に沿って形成されている。
【００２８】
上部凹溝３２には、上レール１の上部レール部１２が嵌め込まれている。上桟３１の上面３１Ｕと上部取付部１１の下面１１Ｂとの間には、隙間３１Ｓが設けられている。
【００２９】
下桟３４は、断面視矩形状に形成され、下面３４Ｂには上方に凹む下部凹溝３５が形成されている。下部凹溝３５は、下桟３４の延在方向に沿って形成されている。
【００３０】
下部凹溝３５の下面には、滑り材３６が設けられている。滑り材３６は、下桟３４の延在方向に離間して複数設けられている。下部凹溝３５には下レール２の下部レール部２２が嵌め込まれ、滑り材３６が下部レール部２２の上面に当接している。
【００３１】
芯材部４１として、例えば、紙や樹脂の材料でハニカム形状に形成されたハニカムコアを採用することができる。
【００３２】
表面材４２は、化粧が施された板材であり、例えばオレフィンシートが貼られた化粧版を採用することができる。
【００３３】
第一パネル３において、第二パネル４側の表面材４２には、取付穴３Ｈが形成されている。取付穴３Ｈには、第一コンセント１０１が設けられている。
【００３４】
第二パネル４は、第一パネル３に対して直交配置されている。詳細には、第二パネル４の小口面４Ｅが、第一パネル３の表面材４２における第一コンセント１０１の周囲の部分と当接するように配置されている。
【００３５】
第二パネル４において、一方の表面材４２には、取付穴（配線穴）４Ｈが形成されている。取付穴４Ｈには、第二コンセント１１１が設けられている。
【００３６】
第二コンセント１１１には、配線１１２が接続されている。配線１１２の先端にはコネクタ１１３が設けられている。
【００３７】
第二パネル４において、第一パネル３側の縦桟３７には、端面（小口面）４Ｅから内部に向かって凹む凹部３７Ｈが形成されている。コネクタ１１３は、凹部３７Ｈ内に配置されている。コネクタ１１３は、第一パネル３に設けられた第一コンセント１０１に電気的に接続されている。
【００３８】
次に、上記の壁システム１００の施工方法について、主に図４から図８を用いて説明する。
まず、第一パネル３の設置について説明する。
レール設置工程を行う。
図２に示すように、第一パネル３が設置される箇所において、上レール１を天井面Ｄに固定具１Ｘで固定する。上部取付部１１の下面１１Ｂに上部レール部１２を固定する。また、下レール２を床面Ｆに固定具２２Ｘで固定する。
【００３９】
次に、予め工場等で製造しておいた第一パネル３に取付穴３Ｈを設けて、取付穴３Ｈ内に第一コンセント１０１を不図示の螺子等で取り付ける。第一コンセント１０１の不図示の配線は、分電盤等に接続することで電気的に使用可能とされている。
【００４０】
第一パネル３の上部凹溝３２及び下部凹溝３５に、それぞれ上レール１の上部レール部１２及び下レール２の下部レール部２２を嵌め込み、所定の位置する位置までスライドさせる。この際に、第一パネル３及び第二パネル４の下端部には滑り材３６が設けられているため、スライドさせやすい。
なお、第一パネル３は、不図示の位置決め部材を介して、上レール１及び下レール２に固定されていてもよい。
【００４１】
この状態で住宅が使用された後、レイアウト変更等により、第二パネル４を設置する場合について説明する。
【００４２】
まず、コンセントカバー取外工程を行う。
第一コンセント１０１の表面のコンセントカバー（不図示）を取り外す。
【００４３】
次に、取付穴形成工程を行う。
図４は、取付穴形成工程を示す図である。
図４に示すように、第二パネル４の一方の表面材４２に、取付穴４Ｈが設ける。
【００４４】
次に、第二コンセント設置工程を行う。
図５は、第二コンセント設置工程を示す図である。図６は、図５に示す工程の後工程を示す図である。
図５に示すように、第二パネル４の取付穴４Ｈに内に第二コンセント１１１を不図示の螺子等で取り付ける。図６に示すように、第二コンセント１１１の表面にコンセントカバー１１４を取り付ける。
【００４５】
次に、コネクタ接続工程を行う。
図７は、コネクタ接続工程を示す図である。
図７に示すように、第二コンセント１１１と接続された配線１１２の先端に設けられたコネクタ１１３を、第一コンセント１０１に接続する。
【００４６】
次に、第二パネル設置工程を行う。
第一パネル３を設置する場合と同様に、上レール１及び下レール２を設置して、第二パネル４を上レール１及び下レール２に嵌め込みつつ、第一パネル３と直交する位置までスライドさせる。
なお、第二パネル４は、不図示の位置決め部材を介して、上レール１及び下レール２に固定されていてもよい。
【００４７】
このように構成された壁システム１００では、第一パネル３に設置された第一コンセント１０１は、第一パネル３と直交する第二パネル４の小口面４Ｅに対向する。第二パネル４の小口面４Ｅに設けられたコネクタ１１３は第一コンセント１０１と接続され、コネクタ１１３に接続された配線１１２は少なくとも第二パネル４の表面に形成された取付穴４Ｈまで通線可能に構成されている。よって、第一パネル３の第一コンセント１０１を第二パネル４の小口面４Ｅで対向させるようにレイアウト変更した場合でも、第一コンセント１０１と電気的に接続されるとともに第二パネル４の取付穴４Ｈから通線可能とされた配線１１２を利用することができるため、レイアウト変更に柔軟に対応可能である。
【００４８】
また、第二パネル４の表面には第二コンセント１１１が設けられ、コネクタ１１３に接続された配線１１２は第二コンセント１１１に接続されている。よって、第一コンセント１０１と電気的に接続された第二コンセント１１１を利用することができるため、レイアウト変更に柔軟に対応可能である。
【００４９】
また、コネクタ１１３は四方枠３０の小口面４Ｅから内部に向かって凹む凹部３７Ｈ内に配置されているため、第一パネル３に対して第二パネル４を直交させる際に支障となることがない。
【００５０】
また、施工現場で、天井面Ｄに上レール１を固定し、床面Ｆに下レール２を固定する。予め工場等で第二パネル４を製造しておけば、第二パネル４を運搬してきて、第二パネル４の上端部を上レール１に係止させ、下端部を下レール２に支持させることで、第二パネル４が天井面Ｄと床面Ｆとの間に設置される。よって、施工現場において、軽量鉄骨等で間仕切りの鋼製下地を組み立てる工事が省略され、施工時間が短縮できる。
【００５１】
なお、上述した実施の形態において示した組立手順、あるいは各構成部材の諸形状や組み合わせ等は一例であって、本発明の主旨から逸脱しない範囲において設計要求等に基づき種々変更可能である。
【００５２】
なお、上記に示す実施形態においては、第二パネル４の配線穴（取付穴）４Ｈには第二コンセント１１１が配置されており、配線１１２が電気的に取り出し可能（配線１１２の電気を第二コンセント１１１を介して取り出し可能）とされているが、本発明はこれに限られず、第二パネル４の配線穴に配線１１２が挿通され、配線穴から配線１１２が直接取り出し可能に構成されていてもよい。
【００５３】
また、第一コンセント１０１、第二コンセント１１１は、それぞれダブルコンセントのみならず、ＬＡＮ用モジュールジャック、電話・ＦＡＸ用モジュールジャック、ＵＨＦ・ＣＡＴＶ・ＢＳ用コンセント等が設けられたマルチメディアコンセントであってもよい。
【００５４】
また、上記に示す実施形態では、第二パネル４の小口面４Ｅには内部に向かって凹む凹部３７Ｈが形成されていて、当該凹部３７Ｈ内にコネクタ１１３が配置されているが、本発明はこれに限られない。例えば、凹部３７Ｈが形成されずに小口面４Ｅに沿ってコネクタ１１３が配置され、あるいは浅めの凹部が形成されコネクタ１１３の一部が凹部内に配置される構成であってもよい。この場合には、第一パネル３と第二パネル４との直交する部分には、水平断面視Ｌ型等の見切り材を設けて、第二パネル４の小口面４Ｅから突出するコネクタ１１３を隠す構成であってもよい。
【符号の説明】
【００５５】
１…上レール
２…下レール
３…第一パネル
４…第二パネル
４Ｅ…小口面
４Ｈ…取付穴（配線穴）
３０…四方枠
３１…上桟
３２…上部凹溝
３４…下桟
３５…下部凹溝
３７Ｈ…凹部
４２…表面材
１００…壁システム（間仕切りシステム）
１０１…第一コンセント
１１１…第二コンセント
１１２…配線
１１３…コネクタ
Ｄ…天井面
Ｆ…床面
Ｐ１，Ｐ２…空間
【図１】
2018035513.tif 000003
【図２】
2018035513.tif 000004
【図３】
2018035513.tif 000005
【図４】
2018035513.tif 000006
【図５】
2018035513.tif 000007
【図６】
2018035513.tif 000008
【図７】
2018035513.tif 000009
【図８】
2018035513.tif 000010